(57)【要約】【課題】  音の放射方向への厚みを増すことなく、振動板の振動量を増加させられるスピーカ用振動板の駆動体と、該駆動体を使用したスピーカを提供する。【解決手段】  板状体１１，１２によって側面視がほぼＶ字状に形成された駆動体１０、外周部がフレーム２２に固着される振動板２３、ヨーク１５、マグネット１６、プレート１７からなる磁気回路１８、この磁気回路１８の周辺に配置されるボイスコイル２０、ダンパー１９から構成される駆動部Ｘと、前記駆動体１０の磁気回路１８が付設されるフレーム２２とからなるもので、前記二股に分岐した駆動主体１０の少なくとも一方の板状体１１の端部１１ａを、前記駆動部Ｘを構成するボイスコイル２０のボビン２１に連結し、前記分岐部１３に振動板２３の中心部を固着してスピーカ１４とする。【選択図】      図２
2005175859.tif 000002
【特許請求の範囲】
【請求項１】
板状体によって側面視がほぼV字状の駆動主体を構成し、
二股に分岐した前記駆動主体の少なくとも一方の板状体の端部が、ボイスコイルのボビンとの連結部とし、前記分岐部が振動板の固着部として用いられること
を特徴とするスピーカ用振動板の駆動体。
【請求項２】
前記駆動主体は、
相対する２枚の平面板で構成され、各平面板の上端部を互いに貼り合わせて側面視がほぼV字状となるよう構成されていること
を特徴とする請求項１に記載のスピーカ用振動板の駆動体。
【請求項３】
前記駆動主体は、
１枚の平面板を側面視でほぼV字状となるように折り曲げるとともに、当該折曲げ部を互いに貼り合わせて構成されていること
を特徴とする請求項１に記載のスピーカ用振動板の駆動体。
【請求項４】
前記駆動主体は、
ほぼV字状を構成する両面ともに同一素材であること
を特徴とする請求項１〜３のいずれかに記載のスピーカ用振動板の駆動体。
【請求項５】
前記駆動主体は、
ほぼV字状を構成する一方の面と他方の面が、互いに異なる素材であること
を特徴とする請求項１又は２に記載のスピーカ用振動板の駆動体。
【請求項６】
前記駆動主体は、
二股に分岐した他方の板状体の端部が、スピーカを構成するフレームに固着されて用いられるものであること
を特徴とする請求項１〜５のいずれかに記載のスピーカ用振動板の駆動体。
【請求項７】
前記駆動主体は、
二股に分岐した各板状体の端部が、ボイスコイルのボビンとの連結部として用いられること
を特徴とする請求項１〜５のいずれかに記載のスピーカ用振動板の駆動体。
【請求項８】
外周部がフレームに固着される振動板と
ヨーク、マグネット、プレートからなる磁気回路、この磁気回路の周辺に配置されるボイスコイル、ダンパーおよび板状体によって側面視がほぼV字状に形成された駆動体とから構成される駆動部と
前記駆動体の磁気回路が付設されるフレームと
とからなるものであって、
前記二股に分岐した駆動主体の少なくとも一方の板状体の端部が、前記駆動部を構成するボイスコイルのボビンに連結され、前記分岐部に前記振動板の中心部が固着されていること
を特徴とするスピーカ。
【請求項９】
前記駆動主体は、
二股に分岐した板状体の他方の端部が、前記フレームに固定されていること
を特徴とする請求項８に記載のスピーカ。
【請求項１０】
前記駆動部は、
複数で構成され、二股に分岐した板状体の各端部を、それぞれ異なった駆動部で同時に駆動させるよう構成されていること
を特徴とする請求項８に記載のスピーカ。
【請求項１１】
前記駆動主体は、
前記二股に分岐した前記駆動主体の少なくとも一方の板状体の端部が、前記駆動部を構成するボイスコイルのボビンに連結され、前記分岐部にはジョイントが装着され、このジョイントに前記振動板の中心部が固着され、分岐部と振動板の中心部との接続角度を可変としたこと
を特徴とする請求項８に記載のスピーカ。
【請求項１２】
前記フレームは、
底面部の外周部に周壁部が鉛直に設けられたもので、この周壁部に前記駆動部のボイスコイルのボビンが前記底面部と平行となるよう設けられていること
を特徴とする請求項８に記載のスピーカ。
【請求項１３】
外周部がフレームに固着される振動板と
ヨーク、マグネット、プレートからなる磁気回路と、この磁気回路の周辺に配置されるボイスコイル、ダンパーおよび板状体によって側面視がほぼV字状に形成された駆動体とから構成される駆動部とから構成される複数の駆動部と、
前記複数の駆動部の磁気回路が付設されるフレーム
とからなるものであって、
前記フレームの周壁部に、各駆動部の磁気回路を構成するボイスコイルのボビンがフレームの底面部と平行かつ等間隔となるよう配置し、
各駆動部を構成するボイスコイルのボビンに、それぞれ二股に分岐した前記駆動主体の一方の端部を固着するとともに、他方の端部を前記フレームの周壁部に固着し、
各駆動主体の先端部を相互に連結し、その連結部に前記振動板の中心部を固着したこと
を特徴とするスピーカ。
【請求項１４】
前記複数の駆動部は、
同一の大きさの２個で構成され、前記フレームの周壁部に、各駆動部の磁気回路が互いに対向し、かつ各ボイスコイルのボビンがフレームの底面部と平行となるよう配置され、
各駆動部を構成するボイスコイルのボビンに、それぞれ二股に分岐した前記駆動主体の一方の端部を固着するとともに、他方の端部を前記フレームの周壁部の一部に固着し、
各駆動主体の先端部を相互に連結し、その連結部に前記振動板の中心部を固着し、
前記各ボイスコイルを同極方向に振動させること
を特徴とする請求項１３に記載のスピーカ。
【請求項１５】
前記複数の駆動部は、
同一の大きさの３個で構成され、前記フレームの周壁部に等間隔で、かつ各ボイスコイルのボビンがフレームの底面部と平行となるよう配置され、
各駆動部を構成するボイスコイルのボビンに、それぞれ二股に分岐した前記駆動主体の一方の端部を固着するとともに、他方の端部を前記フレームの周壁部の一部に固着し、
各駆動主体の先端部を相互に連結し、その連結部に前記振動板の中心部を固着し、
前記各ボイスコイルを同極方向に振動させること
を特徴とする請求項１３に記載のスピーカ。
【発明の詳細な説明】
【技術分野】
【０００１】
この発明は、各種の音響機器に使用されるスピーカ用振動板の駆動体と、この駆動体を使用したスピーカに関するもので、より具体的には、音の放射方向への厚みを増すことなく、振動板の振動量を増加させられるスピーカ用振動板の駆動体および該駆動体を使用したスピーカに関するものである。
【背景技術】
【０００２】
従来のスピーカ１は、図７に示すように、ヨーク２、マグネット３およびプレート４からなる磁気回路５と、前記磁気回路５の周辺に設けられるボイスコイル６、振動板７、ダンパー８からなる振動系と、前記磁気回路５に固定されるフレーム９とから構成されるもので、磁気回路５から振動板７であるコーン紙までを積み重ねるように組み立てられ、音の放射方向は、ボイスコイル６の駆動方向と同一としたものであって、振動板７はボイスコイル６によって直接駆動されるものである。
【０００３】
そこで、駆動部と振動板が近接する固定的な構造とする必要性を払拭するとともに、発音に至るまでの信号伝達経路を外部からの衝撃に影響され難いものとし、構造および設置の自由度を向上させることができ、かつ、より適切な発音動作の確保や種々の用途への適用等を可能とするスピーカが、特開２０００−３５０２８５号公報（特許文献１）において提案されている。
【０００４】
この特許文献１に記載のスピーカは、振動板と、発生させる音に応じた力を発生する駆動部と、前記振動板を内部応力のある状態に支持すると共に、前記駆動部で発生された力により生じる波動を前記振動板へ伝達する支持伝達手段とを有するもので、具体的には、紙を内部応力がある状態に弾性変形させて支持部材の先端と挟着部によって２点支持し、支持支柱の一端を挟着部に連結接続するとともに、他端を駆動部ボックス内のスピーカ駆動部の所定部位に連結したものである。
【０００５】
そして、前記所定部位においては、ボイスコイルによる力を受ける円板を、その振動を抑制した状態で設け、ボイスコイルへ電気信号を供給して円板に対する力を発生させ、それによる波動を支持支柱、挟着部及び支持部材を介して紙へ伝達し、紙にて機械的な振動に変換して音を放出させるというものである。
【特許文献１】特開２０００−３５０２８５号公報（特許請求の範囲、図１）
【発明の開示】
【発明が解決しようとする課題】
【０００６】
前記特許文献１に記載のスピーカは、振動板を内部応力のある状態に支持し、その振動板へ駆動部で発生された力により生じる「波動」を伝達することとしたので、発生させようとする音が波動という形で伝達され、振動板にて機械的な振動に変換されるため、駆動部と振動板は近接している必要がなく、自由な形態で構成することができ、スピーカの構造及び設置の自由度を向上させることができるなどの効果が得られる。
【０００７】
しかしながら、駆動部と振動板との間が支持支柱で連結される方式であるので、駆動部の重量を絶えず考慮してスピーカ設計をする必要があり、スピーカを小型化および／または薄型化を図るには種々解決すべき課題がある。
【０００８】
すなわち、特許文献１に記載のスピーカは、ボイスコイルに接合させた円板から細い支持支柱を介して狭着部に波動を伝え、前記支持支柱の先端部とこの狭着部の間に弾性変形させて固着した紙（振動板）を振動させるものであるので、いわゆる共振のような現象であるため、振動板を確実に振動させるには、振動板の大きさに応じた、それ相応の大きな駆動源を必要とし、スピーカを小型化および／または薄型化を図ることはかなり難しいものである。
【０００９】
また、特許文献１に記載のスピーカにおいては、紙（振動板）を弾性変形させることが必須の条件とされているもので、内部応力が小さければ、振動板としての効果を発揮することができず、振動板としての効果を挙げるために内部応力を大きくすると、紙（振動板）を支持する支持支柱の強度を上げて、紙（振動板）が内部応力のない状態に戻ることを阻止する必要性が生じ、内部応力を強くするほど紙（振動板）と支持支柱との形状は、固定状態に近づいて振動ができなくなるという問題がある。
【００１０】
一方、近年、スピーカの要求にあって、音の放射方向への厚みを増すことなく、ボイスコイルの動作量に対する振動板の振動量を増加させることが要求されているが、従来の構造によれば、ボイスコイルの動作量に対する振動板の振動量は同じなので、振動板の振動量を増加させるには、磁気回路および振動系を大きくしてボイスコイルの動作量を大きくさせざるを得ず、その結果、音の放射方向はボイスコイルの駆動方向と同一であることから、スピーカの放射方向への厚みが大きくなるので、要求を満たすことはきわめて困難であった。
【００１１】
この発明はかかる現状に鑑み、音の放射方向への厚みを増すことなく、振動板の振動量を増加させられるスピーカ用振動板の駆動体および該駆動体を使用したスピーカを提供せんとするものである。
【課題を解決するための手段】
【００１２】
前記の目的を達成するため、この発明のスピーカ用振動板の駆動体は、
板状体によって側面視がほぼV字状の駆動主体を構成し、
二股に分岐した前記駆動主体の少なくとも一方の板状体の端部が、ボイスコイルのボビンとの連結部とし、前記分岐部が振動板の固着部として用いられること
を特徴とするものである。
【００１３】
また、この発明の請求項２に記載の発明は、
請求項１に記載のスピーカ用振動板の駆動体において、
前記駆動主体は、
相対する２枚の平面板で構成され、各平面板の上端部を互いに貼り合わせて側面視がほぼV字状となるよう構成されていること
を特徴とするものである。
【００１４】
また、この発明の請求項３に記載の発明は、
請求項１に記載のスピーカ用振動板の駆動体において、
前記駆動主体は、
１枚の平面板を側面視でほぼV字状となるように折り曲げるとともに、当該折曲げ部を互いに貼り合わせて構成されていること
を特徴とするものである。
【００１５】
また、この発明の請求項４に記載の発明は、
請求項１〜３のいずれかに記載のスピーカ用振動板の駆動体において、
前記駆動主体は、
ほぼV字状を構成する両面ともに同一素材であること
を特徴とするものである。
【００１６】
また、この発明の請求項５に記載の発明は、
請求項１又は２に記載のスピーカ用振動板の駆動体において、
前記駆動主体は、
ほぼV字状を構成する一方の面と他方の面が、互いに異なる素材であること
を特徴とするものである。
【００１７】
また、この発明の請求項６に記載の発明は、
請求項１〜５のいずれかに記載のスピーカ用振動板の駆動体において、
前記駆動主体は、
二股に分岐した他方の板状体の端部が、スピーカを構成するフレームに固着されて用いられるものであること
を特徴とするものである。
【００１８】
また、この発明の請求項７に記載の発明は、
請求項１〜５のいずれかに記載のスピーカ用振動板の駆動体において、
前記駆動主体は、
二股に分岐した各板状体の端部が、ボイスコイルのボビンとの連結部として用いられること
を特徴とするものである。
【００１９】
さらに、この発明の請求項８に記載のスピーカは、
外周部がフレームに固着される振動板と
ヨーク、マグネット、プレートからなる磁気回路、この磁気回路の周辺に配置されるボイスコイル、ダンパーおよび板状体によって側面視がほぼV字状に形成された駆動体とから構成される駆動部と、
前記駆動体の磁気回路が付設されるフレームと
からなるものであって、
前記二股に分岐した駆動主体の少なくとも一方の板状体の端部が、前記駆動部を構成するボイスコイルのボビンに連結され、前記分岐部に前記振動板の中心部が固着されていること
を特徴とするものである。
【００２０】
また、この発明の請求項９に記載の発明は、
請求項８に記載のスピーカにおいて、
前記駆動主体は、
二股に分岐した板状体の他方の端部が、前記フレームに固定されていること
を特徴とするものである。
【００２１】
また、この発明の請求項１０に記載の発明は、
請求項８に記載のスピーカにおいて、
前記駆動部は、
複数で構成され、二股に分岐した板状体の各端部を、それぞれ異なった駆動部で同時に駆動させるよう構成されていること
を特徴とするものである。
【００２２】
また、この発明の請求項１１に記載の発明は、
請求項８に記載のスピーカにおいて、
前記駆動主体は、
前記二股に分岐した前記駆動主体の少なくとも一方の板状体の端部が、前記駆動部を構成するボイスコイルのボビンに連結され、前記分岐部にはジョイントが装着され、このジョイントに前記振動板の中心部が固着され、分岐部と振動板の中心部との接続角度を可変としたこと
を特徴とするものである。
【００２３】
また、この発明の請求項１２に記載の発明は、
請求項８に記載のスピーカにおいて、
前記フレームは、
底面部の外周部に周壁部が鉛直に設けられたもので、この周壁部に前記駆動部のボイスコイルのボビンが前記底面部と平行となるよう設けられていること
を特徴とするものである。
【００２４】
さらに、この発明の請求項１３に記載のスピーカは、
外周部がフレームに固着される振動板と
ヨーク、マグネット、プレートからなる磁気回路と、この磁気回路の周辺に配置されるボイスコイル、ダンパーおよび板状体によって側面視がほぼV字状に形成された駆動体とから構成される駆動部とから構成される複数の駆動部と、
前記複数の駆動部の磁気回路が付設されるフレームと、
からなるものであって、
前記フレームの周壁部に、各駆動部の磁気回路を構成するボイスコイルのボビンがフレームの底面部と平行かつ等間隔となるよう配置し、
各駆動部を構成するボイスコイルのボビンに、それぞれ二股に分岐した前記駆動主体の一方の端部を固着するとともに、他方の端部を前記フレームの周壁部に固着し、
各駆動主体の先端部を相互に連結し、その連結部に前記振動板の中心部を固着したこと
を特徴とするものである。
【００２５】
また、この発明の請求項１４に記載のスピーカは、
請求項１３に記載のスピーカにおいて、
前記複数の駆動部は、
同一の大きさの２個で構成され、前記フレームの周壁部に、各駆動部の磁気回路が互いに対向し、かつ各ボイスコイルのボビンがフレームの底面部と平行となるよう配置され、
各駆動部を構成するボイスコイルのボビンに、それぞれ二股に分岐した前記駆動主体の一方の端部を固着するとともに、他方の端部を前記フレームの周壁部の一部に固着し、
各駆動主体の先端部を相互に連結し、その連結部に前記振動板の中心部を固着し、
前記各ボイスコイルを同極方向に振動させること
を特徴とするものである。
【００２６】
また、この発明の請求項１５に記載のスピーカは、
請求項１３に記載のスピーカにおいて、
前記複数の駆動部は、
同一の大きさの３個で構成され、前記フレームの周壁部に等間隔で、かつ各ボイスコイルのボビンがフレームの底面部と平行となるよう配置され、
各駆動部を構成するボイスコイルのボビンに、それぞれ二股に分岐した前記駆動主体の一方の端部を固着するとともに、他方の端部を前記フレームの周壁部の一部に固着し、
各駆動主体の先端部を相互に連結し、その連結部に前記振動板の中心部を固着し、
前記各ボイスコイルを同極方向に振動させること
を特徴とするものである。
【発明の効果】
【００２７】
この発明のスピーカ用振動板の駆動体は、板状体によって側面視がほぼV字状となる駆動主体を構成し、この駆動主体の上端部において二股に分岐する、少なくとも一方の板状体の端部を、ボイスコイルに連結させることによって振動板の駆動体として使用することができるようにしたもので、ボイスコイルの振動方向と振動板の振動方向とが約９０度異なる構造のスピーカを得ることが可能となる。
【００２８】
また、この発明のスピーカは、板状体によって側面視がほぼV字状となる駆動主体を形成し、この駆動主体の上端部において二股に分岐する少なくとも一方の板状体の端部を、駆動部を構成するボイスコイルのボビンに連結させ、前記分岐部（貼り合わせ部）に振動板の中心部を固着されているので、ボイスコイルの振動方向と振動板の振動方向とが約９０度異なる構造とすることができ、これによってスピーカの音の放射方向への厚みを厚くすることがなく、ボイスコイルの動作量に対する振動板の振動量を増加させることができる。
【００２９】
特に、この発明のスピーカは、従来のスピーカより小型の磁気回路を使用することができ、軽量化が図られ、かつ振動板には、従来のスピーカの形状、大きさのものが使用できるので、従来のスピーカと変わらない音質を得ることができ、小型、軽量な磁気回路を使用できるので、磁気回路のコスト低減を可能とした。
【００３０】
また、小型、軽量な磁気回路を使用できるので、請求項１５に記載のように複数の駆動部のボイスコイルを同極方向に振動させることによって、振動板の動作する力を大幅に向上させ、振動の安定化を図ることができ、かつコストアップを少なく抑えることが可能となる。
【００３１】
さらに、振動板と駆動主体との接合に際し、ジョイントを使用することによって、振動が大きい場合にも振動板を直線的に振動させ、音の歪の要因となる横揺れを減らすことができるなどの効果を奏するものである。
【発明を実施するための最良の形態】
【００３２】
この発明は、板状体を側面視がほぼＶ字状になるように形成して駆動主体とし、二股に分岐した板状体の少なくとも一方の端部を、ヨーク、マグネットおよびプレートからなる磁気回路と、この磁気回路の周辺に配置されるボイスコイルおよびダンパーとから構成される駆動部の、ボイスコイルのボビンに連結させて駆動体とし、また、この駆動体を使用して各種スピーカを構成することを要旨とするもので、この要旨を変更しない範囲内において種々変更を加えることができ、後述する実施例にのみ限定されるものではない。
【００３３】
この発明のスピーカ用振動板の駆動体１０は、図１で明らかなように、側面視がほぼＶ字状で、平面視が矩形状となるように駆動主体１０（なお、前記スピーカ用の駆動体と実質的に同一であるので同一符号とする。）を板状体で構成したもので、板状体で駆動主体
１０を構成するには、たとえば、２枚の方形乃至矩形状の板状体１１と１２を相対させ、その上縁部同士を接着剤によって所要幅で貼り合わせて貼り合わせ部１３を形成し、側面視がほぼＶ字状となるようにする方法と、図示しないが、１枚の矩形状の板状体をほぼ中央部で２つ折りし、互いに重畳する部位を接着剤で貼り合わせて貼り合わせ部を形成し、側面視ほぼＶ字状の駆動主体とする方法とがある。
【００３４】
前者の２枚の板状体１１，１２を使用する方法においては、板状体の素材として、紙パルプまたはアルミ、ベリリウム、ボロンなどの金属単板、ニッケルなどを素材とする発泡金属、さらには各種のプラスチックを単一で、あるいは組み合わせて使用することができるもので、同質であってもその厚みを変えることによって、あるいは異種同士を組み合わせることによって、駆動体や振動板の振動モードを自在にコントロールすることができ、また、後者の１枚の板状体を使用する方法は、駆動主体の製造がきわめて容易で、量産化によるコストダウンを図ることができる。
【００３５】
この駆動主体１０を構成する板状体の厚みは、およそ０．２〜１．０ｍｍ程度とするもので、側面視がほぼV字状であれば、その大きさや形状には特段の制限はなく、適用せんとするスピーカに合わせて適宜選択できる。また、前記のように２枚の板状体１１，１２で駆動主体１０を構成する場合には、当然板厚が異なるものでも使用でき、二股に分岐する駆動主体１０のうち、各板状体の面積を変えることも、同一面積とすることもできるものである。
【００３６】
また、単一の板状体または２枚の板状体で駆動主体１０を構成するに際し、いずれの場合においても、その上縁部に沿って所定の幅で接合接着して貼り合わせ部１３（分岐部）を形成することによって、ボイスコイルと連結する板状体からの振動を振動板に確実に伝えることができる。
【００３７】
この駆動主体１０は、図１においては、一方の板状体１１が直線状に、他方の板状体１２は緩やかな円弧を描くように形成されているが、ボイスコイルと直結する板状体は、ボイスコイルの動きに追従させるため直線状とすることが必要であるが、他方の板状体は直線状であっても円弧状であってもよく、必要であれは、各板状体に補強用のリブを設けることも可能である。
【００３８】
かかる構成のスピーカ用振動板の駆動体１０は、少なくとも貼り合わせ部１３で二股に分岐する一方の端部、具体的には直線状に保持される板状体１１の基端部１１ａをボイスコイルに連結して使用するもので、以下、この発明のスピーカ用振動板の駆動体１１を使用したスピーカの実施例について具体的に説明する。
【実施例１】
【００３９】
図２は、この発明のスピーカ用振動板の駆動体１０を使用したスピーカの一例を示すもので、スピーカ１４は、図示のように前記駆動体１０と、上面中央部にセンターポールを有するヨーク１５、リング状のマグネット１６及びリング状のプレート１７からなる磁気回路１８と、この磁気回路１８に形成された磁気ギャップ内にダンパー１９によって保持されるボイスコイル２０と、このボイスコイル２０を捲回したボビン２１と、前記磁気回路１８のプレート１７上面に固着されたフレーム２２と、振動板２３とから構成されたものである。
【００４０】
このスピーカ１４において、前記フレーム２２は、側壁が上方に垂直に延びるメインフレーム２２ａと、このメインフレーム２２ａの上端部に繋がる拡径したサブフレーム２２ｂとからなるもので、メインフレーム２２ａの上端部の一部には、内側に水平に延出するフランジ２２ｃが設けられたものである。
【００４１】
そして、このフレーム２２を構成するメインフレーム２２ａの、前記フランジ２２ｃが突設された下部の外周壁に、前記磁気回路１８のプレート１７の上面を当接させて両者を接着剤で一体的に固着する。
【００４２】
その際、前記フランジ２２ｃの下方の側壁には、前記磁気回路１８のプレート１７の内径とほぼ同径の透孔が形成されているので、側壁に磁気回路１８を固着したのち、メインフレーム２２ａの内側からボイスコイル２０を捲回したボビン２１を磁気ギャップ内に挿入し、ダンパー１９によってボイスコイル２０を磁気ギャップ内に保持する。
【００４３】
したがって、図２に示す実施例においては、フレーム２２の底面２２ｄに対し、ボビン２１は平行状態を保持している。
【００４４】
ついで、前記駆動体１０を構成する直線状の板状体１１の先端部１１ａを、前記ボビン２１の頂部に設けたキャップ（図示せず）の中心上に固着し、他方の板状体１２の先端部をメインフレーム２２ａの上部に設けたフランジ２２ｃに固着し、メインフレーム２２ａの中心上に位置する前記各板状体１１，１２の貼り合わせ部１３に、外周部を前記サブフレーム２２ｂの開口部に固着した振動板２３の中心部を固着し、スピーカとしたものである。
【００４５】
なお、この発明においては、スピーカを構成する部品中、前記磁気回路１８と、この磁気回路１８の周辺に配置されるボイスコイル２０およびダンパー２１を併せて駆動部Ｘという。
【００４６】
かかる構成のスピーカ１４は、図示しないが錦糸線を介して入力端子からボイスコイル２０に電気信号を入力すると、ボイスコイル２０の駆動によってボビン２１が図面上において左右方向に作動し、このボビン２１に基端部１１ａが固着された駆動主体１０の板状体１１も同時に、磁気回路１８が装着された側壁と対向する側壁に向かって左右方向に動作する。しかしながら、駆動主体１０を構成する一方の板状体１２は、その基端部がフレーム２２に固着されているので、前記張り合わせ部１３がフレーム２２の中心部において実質的に上下動し、振動板２３を上下方向に駆動させ、振動板２３から音が放出される。
【００４７】
すなわち、前記駆動主体１０の板状体１２は、図３の振動模式図から明らかなように、図面上上下に動作（振動）することになって、ボイスコイル２０の動作量ｈに対する板状体１２の先端の上下への振動量Hは大きなものとなって放音する。したがって、ボイスコイル２０の振動より、スピーカの音の放射方向への厚みを厚くすることなく、板状体１２の振動を大きくすることが可能となる。
【００４８】
なお、駆動主体１０を構成する板状体１１または１２の基端部の、ボイスコイル２０のボビン２１の上端部への固着手段については、両者が確実に一体的に結合するものであれば特段の制限はないが、たとえば、所要の径を有するボビン２１の直径上で相対する部位にそれぞれ縦方向にスリットを形成し、このスリット内に板状体１１の基端部１１ａを係合させ、接着剤によって両者を一体的に結合させる方法、あるいはボビン２１の上端開口部にキャップを固着し、このキャップの表面に板状体の基端を接着固定する方法などがある。
【実施例２】
【００４９】
図４は、この発明の駆動体を使用した他のスピーカの一例を示すもので、同一部位は同一符号で表示する。以下の実施例においても同様である。
【００５０】
このスピーカ２４は、前記実施例１に示すスピーカ１４が、駆動主体１０の張り合わせ部１３に直接振動板２３の中心部が固着されているのに対し、前記張り合わせ部１３と振動板２３との中心部の連結に際し、ジョイント２５を使用した点で異なるものである。
【００５１】
すなわち、このスピーカ２４は、駆動主体１０の張り合わせ部１３の中心部に、ジョイント２５の一端部を装着するとともに、このジョイント２５の他端部を振動板２３の中心部に装着し、両者の接続部分が自由に角度を変えられるように構成したもので、かかる構成を採用することによって、Ｖ字状の駆動体１０の張り合わせ部１３は円弧を描いて動作するのに対し、振動板２３はボイスコイル２０の動作方向に対する９０度方向に直線的に動くもので、駆動量が大きい場合にはきわめて有効なものである。
【００５２】
なお、ジョイント２５を使用しない場合でも、振幅量が少ない場合には、円弧状の動きは直線の動きに近いものとなる。
【実施例３】
【００５３】
図５に示すスピーカ３４は、実施例１に示すスピーカ１４の駆動体１０における一方の板状体１２の基端部がフレーム２２の内側に突出形成されたフランジ２２ｃに接着固定されているのに対し、Ｖ字状の駆動体１０を構成する各板状体１１，１２の基端部をボイスコイルで駆動するよう構成したものである。
【００５４】
すなわち、前記実施例１におけるフレーム２２の駆動部Ｘの外側に、フレーム２２の底部２２ｄを延長して延出部２２ｅを形成し、この延出部２２ｅの外周部にメインフレーム２２ａと平行に側壁２２ｆを形成し、この側壁に形成された透孔の外周部外側に、前記駆動部Ｘと同じ大きさの駆動部Ｘ１  のプレート１７ａの上面部を当接固着したのち、ボイスコイル２０ａを捲回したボビン２１ａを、実施例１と同様の方法で固着し、前記ボビン２１ａの頂部に駆動体１０を構成する板状体１２の基端部を固着したものである。
【００５５】
なお、前記駆動部Ｘ１  の磁気回路の駆動方向は、駆動部Ｘの駆動方向とは逆方向に設定されているものである。
【００５６】
かかる構成のスピーカ３４は、駆動部Ｘと駆動部Ｘ１  の磁気回路の駆動方向が互いに反対方向に設定されているので、実施例１のように駆動体１０を構成する一方の板状体１２の基端部をフレーム２２に固着する場合に比べ、およそ１／２のボイスコイルの動作量で駆動体１０の動作量を同じにすることができるので、振動板２３の動作を安定化されることができるものである。
【実施例４】
【００５７】
図６に記載のスピーカ４４は、実施例１におけるスピーカ１４が一つの駆動部Ｘで振動板２３を駆動されるのに対し、二つの駆動部Ｘおよび駆動部Ｘ１  で振動板２３を駆動するものである。
【００５８】
すなわち、駆動部Ｘおよび駆動部Ｘ１  は共に同じ大きさのもので、実施例１における駆動部Ｘの装着部位と対向するメインフレーム２２ａの側壁に駆動部Ｘ１  が設けられたものである。なお、駆動部Ｘ１  は、図示のように前記駆動体１０ａと、上面中央部にセンターポールを有するヨーク１５ａ、リング状のマグネット１６ａ及びリング状のプレート１７ａからなる磁気回路１８ａと、この磁気回路１８ａに形成された磁気ギャップ内にダンパー１９ａによって保持されるボイスコイル２０ａおよびこのボイスコイル２０ａを捲回したボビン２１ａとから構成されたものである。
【００５９】
そして、相対位置にある駆動部Ｘと駆動部Ｘ１  のボビン２１，２１ａにそれぞれ一方の板状体１１、１１ａの基端部が固着され、他方の板状体１２，１２ａの基端部がフレーム２２のフランジ２２ｃの固着された駆動体１０と１０ａの張り合わせ部１３および１３ａの先端部同士を互いに連結させ、その中央部に振動板２３の中心部を固着してスピーカ４４としたものである。
【００６０】
かかる構成のスピーカ４４は、駆動部Ｘと駆動部Ｘ１  に設けられたボイスコイル２０，２０ａの振動方向を同じ磁極方向に駆動させることによって、駆動体１０，１０ａの動作する力は、一つの時の２倍となり、さらに安定して振動板２３を動作させることができるものである。
【００６１】
なお、実施例４においては、二つの駆動部Ｘ、Ｘ１  をメインフレーム２２ａの対向する部位に配置したが、たとえば、三つの駆動部を１２０度の角度で、あるいは四つの駆動部を等間隔で配置し、各駆動部に固着される駆動体の張り合わせ部をフレーム２２の中心部で互いに連結させ、当該連結部の中央部に振動板２３の中心部を固着することによって、駆動体の動作する力を調整することができるものである。
【００６２】
以上述べたように、この発明のスピーカ用振動板の駆動体は、板状体によって上縁部に貼り合わせ部を有する側面視ほぼV字状の駆動主体を構成し、少なくとも二股に分岐する一方の端部をボイスコイルと連動させて振動板を駆動させるもので、このスピーカ用振動板の駆動体を使用してスピーカを構成することによって、音の放射方向への厚みを増すことなく、振動板の振動量を増加させることができるので、駆動体の大きさ、使用する振動板の素材や大きさなどを適宜選択することで、小型化や薄型化を図ることができる利点がある。
【図面の簡単な説明】
【００６３】
【図１】この発明にかかるスピーカ用振動板の駆動体の一例を示す斜視図である。
【図２】この発明にかかるスピーカの一例を示す概略説明図である。
【図３】図２に示すスピーカの振動模式図である。
【図４】この発明にかかるスピーカの他の例を示す概略説明図である。
【図５】この発明にかかるスピーカのさらに他の例を示す概略説明図である。
【図６】この発明にかかるスピーカのさらに他の例を示す概略説明図である。
【図７】従来のスピーカの概略説明図である。
【符号の説明】
【００６４】
１０        スピーカ振動板の駆動体（駆動主体）
１１，１２  板状体
１３        貼り合わせ部
１４        スピーカ
１５        ヨーク
１６        マグネット
１７        プレート
１８        磁気回路
１９        ダンパー
２０        ボイスコイル
２１        ボビン
２２        フレーム
２３        振動板
【図１】
2005175859.tif 000003
【図２】
2005175859.tif 000004
【図３】
2005175859.tif 000005
【図４】
2005175859.tif 000006
【図５】
2005175859.tif 000007
【図６】
2005175859.tif 000008
【図７】
2005175859.tif 000009